(57)【要約】【課題】安全かつ容易に動作速度試験を行うことのできるエレベータガバナ装置の試験方法の提供。【解決手段】乗かごを、上昇方向に定格速度以上で試験運転走行させ(手順Ｓ８)、ガバナスイッチが動作したときの乗かごの速度を検出し(手順Ｓ１０)、検出値とあらかじめ定められる所定値とを比較する(手順Ｓ１４)と共に、ガバナウェートが動作したときの乗かごの速度を検出し(手順Ｓ１２)、検出値とあらかじめ定められる所定値とを比較する(手順Ｓ１４)方法。【選択図】図１
2006321606.tif 000002
【特許請求の範囲】
【請求項１】
乗かごに取付けられこの乗かごの昇降に同期して駆動されるガバナロープと、このガバナロープが巻回され前記ガバナロープの駆動に応じて回転駆動されるガバナプーリと、前記乗かごの速度があらかじめ定められる第１の所定値に達したときに投入されるガバナスイッチと、前記乗かごの速度があらかじめ定められる第２の所定値に達したことに応じて前記ガバナロープを把持して非常止め装置を作動させるガバナウェートとを有するエレベータガバナ装置にあって、前記ガバナスイッチおよび前記ガバナウェートの動作の良否を試験するエレベータガバナ装置の試験方法において、
前記乗かごを、上昇方向に前記定格速度以上で試験運転走行させ、前記ガバナスイッチが動作したときの乗かごの速度を検出し、この検出値と前記第１の所定値とを比較するとともに、前記ガバナウェートが動作したときの乗かごの速度を検出し、この検出値と前記第２の所定値とを比較することを特徴とするエレベータガバナ装置の試験方法。
【請求項２】
前記試験運転走行、前記乗かご速度検出、および前記検出値と前記所定値との比較を行うガバナ装置自動試験機能をエレベータ制御盤に備えたことを特徴とする請求項１記載のエレベータガバナ装置の試験方法。
【発明の詳細な説明】
【技術分野】
【０００１】
本発明は、エレベータガバナ装置の試験方法に係り、特に、乗かごがあらかじめ定められる所定速度を超えたときにガバナスイッチおよびガバナウェートがそれぞれ正常に動作するかを試験するエレベータガバナ装置の試験方法に関する。
【背景技術】
【０００２】
一般に、エレベータガバナ装置は、乗かごの速度が異常に増大した際に、これを検出して停止させるために用いられている。この装置に要求される機能は、次の２つである。第１は、前記乗かごの速度があらかじめ定められる第１の所定値、すなわち定格速度の１．３倍に達したときにガバナスイッチを動作させてエレベータ動力を遮断し、乗かごを停止させる機能である。第２は、前記乗かごの速度が更に増大してあらかじめ定められる第２の所定値、すなわち定格速度の１．４倍に達したときにガバナロープをガバナウェートにて把持し、非常止め装置を作動させる機能である。
【０００３】
このように構成されるエレベータガバナ装置は、エレベータの安全性を確保するために重要であることから、前記ガバナスイッチおよび前記ガバナウェートの動作速度を定期的に試験している。
【０００４】
前記エレベータガバナ装置の試験方法として、作業補助者が乗かごとガバナロープとの接合部を外して前記ガバナロープを手動にて操作し、作業責任者がタコメータを用いて前記ガバナスイッチおよび前記ガバナウェートの動作速度を確認する方法が知られている。
【０００５】
また、１人の作業者のみで前記ガバナ装置を試験する方法として、ガバナプーリに巻回されている前記ガバナロープを、ガバナロープ引上げ治具等で前記ガバナプーリから取外し、エレベータ装置とは別の駆動装置等を用いて前記ガバナスイッチおよび前記ガバナウェートの動作速度を発生させ、作業者がタコメータを用いて前記動作速度を確認する方法が知られている（例えば、特許文献１、特許文献２参照）。
【特許文献１】特開２００３−５４８５２号公報（段落番号００３１〜００６０、第１図）
【特許文献２】特開平９−１３２３５８号公報（段落番号００１４〜００１６、第１図）
【発明の開示】
【発明が解決しようとする課題】
【０００６】
しかしながら、前述した前者のものでは、必ず複数の作業者が必要になるとともに、複数の作業者の動作が一致しないときは、測定誤差が大きくなるという問題があった。
【０００７】
また、後者のものでは、測定器の取付け作業や、ガバナロープ引上げ治具を用いてガバナロープをガバナプーリから取外す作業が必要であることから作業工程数が多く効率が悪いとともに、前記ガバナロープを前記ガバナプーリに復帰する際に、前記ガバナロープと前記ガバナプーリとの間に手指を挟み込む危険があった。
【０００８】
本発明は、前述した従来技術における実状からなされたもので、その目的は、安全かつ容易に動作速度試験を行うことのできるエレベータガバナ装置の試験方法を提供することにある。
【課題を解決するための手段】
【０００９】
前記目的を達成するために、本発明は、乗かごに取付けられこの乗かごの昇降に同期して駆動されるガバナロープと、このガバナロープが巻回され前記ガバナロープの駆動に応じて回転駆動されるガバナプーリと、前記乗かごの速度があらかじめ定められる第１の所定値に達したときに投入されるガバナスイッチと、前記乗かごの速度があらかじめ定められる第２の所定値に達したことに応じて前記ガバナロープを把持して非常止め装置を作動させるガバナウェートとを有するエレベータガバナ装置にあって、前記ガバナスイッチおよび前記ガバナウェートの動作の良否を試験するエレベータガバナ装置の試験方法において、前記乗かごを、上昇方向に前記定格速度以上で試験運転走行させ、前記ガバナスイッチが動作したときの乗かごの速度を検出し、この検出値と前記第１の所定値とを比較するとともに、前記ガバナウェートが動作したときの乗かごの速度を検出し、この検出値と前記第２の所定値とを比較することを特徴としている。
【００１０】
この本発明にあっては、前記乗かごを上昇方向に前記定格速度以上で試験運転走行させ、前記ガバナスイッチが動作したときの乗かごの速度を検出し、この検出値とあらかじめ定められる第１の所定値とを比較するとともに、前記ガバナウェートが動作したときの乗かごの速度を検出し、この検出値とあらかじめ定められる第２の所定値とを比較する。これによって、作業者は試験運転終了後に動作速度判定を確認するだけであることから、複数の作業者を要することなく動作速度試験を実施することができる。また、前記乗かごを上昇方向に試験運転走行させるものであることから、前記ガバナスイッチおよび前記ガバナウェートの動作確認を行いつつも、前記ガバナウェートが前記ガバナロープを把持して前記非常止め装置を作動させることがなく、したがって従来のように前記乗かごと前記ガバナロープとの接合部を外したり、前記ガバナプーリから前記ガバナロープを取外したりすることを要せず、容易かつ安全に動作速度試験を行うことができる。
【発明の効果】
【００１１】
本発明は、容易かつ安全に動作速度試験を実施することができ、したがって、人件費の低減を図ることができる。また、乗かごを上昇方向に試験運転走行させるものであることから、ガバナプーリからガバナロープを取外す等の煩雑な作業を要することがなく、したがって、容易かつ安全に動作速度試験を行うことができる。
【発明を実施するための最良の形態】
【００１２】
以下、本発明に係るエレベータガバナ装置の試験方法の実施の形態を図に基づいて説明する。
【００１３】
図１は本発明のエレベータガバナ装置の試験方法の一実施形態を示すフローチャート、図２は試験方法が適用されるエレベータの概略構造図、図３は試験方法が適用されるガバナ装置の概略構造図である。
【００１４】
エレベータは図２に示すように、昇降路１内を昇降する乗かご２およびつり合いおもり３と、その中間部が巻上機４に巻回され、一端が乗かご２、他端がつり合いおもり３に接続される主ロープ５と、機械室６に設置されエレベータを統括制御するエレベータ制御盤７と、機械室６に設置されガバナロープ８を介して乗かご２の速度異常を検出するガバナ装置９と、乗かご２とガバナロープ８とを接合する接合体１０とを備えている。なお、巻上機４には乗かご２の速度を検出するエンコーダ４ａが設けられている。
【００１５】
また、ガバナ装置９は図３に示すように、乗かご２の速度が第１の所定値、すなわち定格速度の１．３倍に達したときに動作し、エレベータ動力を遮断して乗かご２を停止させるガバナスイッチ９ａと、乗かご２の速度が第２の所定値、すなわち定格速度の１．４倍に達したときに動作し、ガバナロープ８を把持して図示しない非常止め装置を作動させるガバナウェート９ｂと、ガバナロープ８が巻回されガバナロープ８に同期して回転駆動するガバナプーリ９ｃと、ガバナプーリ９ｃの回転に応じた遠心力により変位する振子９ｄと、振子９ｄに取付けられた軸９ｅと、ガバナウェート９ｂを保持するガバナウェートフック９ｆと、振子９ｄに一端が接続されガバナスイッチ９ａを投入するガバナスイッチ端子９ｇとを備えている。このように構成されたガバナ装置９は、乗かご２が所定の速度以上で下降した場合、ガバナロープ８を介しガバナプーリ９ｃが回転することで発生する遠心力に応じて軸９ｅを支点に外側に開く振子９ｄの変位により、ガバナスイッチ端子９ｇによるガバナスイッチ９ａの投入、およびガバナウェート９ｂによるガバナロープ８の把持が行われるが、乗かご２を上昇方向、すなわち矢印Ａ方向に試験運転走行させる限り、ガバナウェート９ｂがガバナロープ８を把持して非常止め装置を作動させることはない。
【００１６】
そして、前述したエレベータ制御盤７には、試験運転走行、乗かご速度検出、および検出値と所定値との比較を行うガバナ装置自動試験機能が備えられている。
【００１７】
動作速度試験を行う場合、まず、作業者は図１の手順Ｓ１に示すようにガバナ試験開始準備および安全確認を行うとともに、手順Ｓ２としてエレベータ制御盤７に対してガバナ試験運転開始指令を行う。これに応じてエレベータ制御盤７は手順Ｓ３として乗かご２の位置確認をし、手順Ｓ４として乗かご２があらかじめ設定された試験開始位置、例えば最下階にあるかどうかを判定し、乗かご２が試験開始位置にない場合、手順Ｓ５として乗かご２を最下階に移動させる。
【００１８】
手順Ｓ４で乗かご２が試験開始位置にあることが判定されると、手順Ｓ６に示すように乗かご上昇速度増速指令を行うとともに、手順Ｓ７として安全回路最終確認を行い、安全が確認されると手順Ｓ８として乗かご２を上昇方向に走行させる。そして、手順Ｓ９としてガバナスイッチ９ａが動作したかどうかを判定するとともに、動作した場合、手順Ｓ１０としてエンコーダ４ａから検出した乗かご２の速度に基づきガバナスイッチ９ａの動作速度記録を行う。次いで、手順Ｓ１１としてガバナウェート９ｂが動作したかどうかを判定するとともに、動作した場合、手順Ｓ１２としてエンコーダ４ａから検出した乗かご２の速度に基づきガバナウェート９ｂの動作速度記録を行い、この後、手順Ｓ１３として乗かご２の上昇運転を終了する。一方、手順Ｓ９でガバナスイッチ９ａが動作しなかった場合、また、手順Ｓ１１でガバナウェート９ｂが動作しなかった場合、それぞれ手順Ｓ１５に示すように作業者に対してガバナ装置確認指示を行う。
【００１９】
次いで、乗かご２の上昇運転終了後、手順Ｓ１０で検出したガバナスイッチ９ａの動作速度および手順Ｓ１２で検出したガバナウェート９ｂの動作速度をそれぞれの所定値と比較して次回試験時までに調整が必要かどうかを判定し、調整が必要であることが判定されると手順Ｓ１５に示すように作業者に対してガバナ装置確認指示を行い、一方、調整を要さないことが判定されるとガバナ試験運転を終了する。
【００２０】
なお、前述したエレベータ制御盤７に備えられる試験運転走行、乗かご速度検出、および検出値と所定値との比較を行うガバナ装置自動試験機能とは、図１の手順Ｓ３〜手順Ｓ１５に示す処理のことである。
【００２１】
本実施形態によれば、作業者は試験運転終了後に動作速度判定を確認するだけであることから、複数の作業者を要することなく動作速度試験を実施することができる。また、乗かご２を上昇方向に試験運転走行させるものであることから、ガバナスイッチ９ａおよびガバナウェート９ｂの動作確認を行いつつも、ガバナウェート９ｂがガバナロープ８を把持して非常止め装置を作動させることがなく、したがってガバナプーリ９ｃからガバナロープ８を取外したりすることを要せず、容易かつ安全に動作速度試験を行うことができる。
【００２２】
なお、試験運転走行、乗かご速度検出、および検出値と所定値との比較を行うガバナ装置自動試験機能を作業者が所持する携帯端末等に備え、この携帯端末等を用いて既存エレベータに対して動作速度試験を実施することにより同様の効果を得ることもできる。また、試験運転走行、乗かご速度検出、および検出値と所定値との比較を行うガバナ装置自動試験機能をエレベータ制御盤７に備えず、作業者の操作により乗かご２を上昇方向に試験運転させ、ガバナスイッチ９ａおよびガバナウェート９ｂ動作時の乗かご速度をタコメータ等を用いて検出し、試験を実施することもできる。
【図面の簡単な説明】
【００２３】
【図１】本発明のエレベータガバナ装置の試験方法の一実施形態を示すフローチャートである。
【図２】試験方法が適用されるエレベータの概略構造図である。
【図３】試験方法が適用されるガバナ装置の概略構造図である。
【符号の説明】
【００２４】
２  乗かご
３  つり合いおもり
４  巻上機
４ａ  エンコーダ
７  エレベータ制御盤
８  ガバナロープ
９  ガバナ装置
９ａ  ガバナスイッチ
９ｂ  ガバナウェート
９ｃ  ガバナプーリ
９ｄ  振子
９ｅ  軸
９ｆ  ガバナウェートフック
９ｇ  ガバナスイッチ端子
【図１】
2006321606.tif 000003
【図２】
2006321606.tif 000004
【図３】
2006321606.tif 000005